(57)【要約】  （ａ）：（ｉ）合成界面活性剤；および（ｉｉ）界面活性剤の組合せ中の総界面活性剤の１０〜９５重量％の範囲内のレベルで存在する、糖脂質型生物系界面活性剤を含む、界面活性剤の組合せと、（ｂ）流体洗浄組成物に懸濁された有益剤であって、前記有益剤がカプセル化体を含むことを特徴とする有益剤とを含む、流体洗浄組成物。【特許請求の範囲】
【請求項１】
（ａ）界面活性剤の組合せであって、：
（ｉ）合成界面活性剤；および
（ｉｉ）前記界面活性剤の組合せ中の前記総界面活性剤の１０〜９５重量％の範囲内のレベルで存在する、糖脂質型生物系界面活性剤
を含む界面活性剤の組合せと、
（ｂ）前記流体洗浄組成物に懸濁された有益剤であって、前記有益剤がカプセル化体を含むことを特徴とする有益剤と、
を含む、流体洗浄組成物。
【請求項２】
前記糖脂質がラムノリピドを含む、請求項１に記載の流体洗浄組成物。
【請求項３】
前記糖脂質型生物系界面活性剤が、前記界面活性剤の組合せの２５重量％〜７５重量％で存在する、請求項１または２に記載の流体洗浄組成物。
【請求項４】
前記有益剤が巨視的である、すなわち、直径が３マイクロメートル以上である、請求項１〜３のいずれか一項に記載の流体洗浄組成物。
【請求項５】
前記カプセル化体が、コアを取り囲むシェルまたはカプセルを含み、前記コアが前記有益剤を含む、請求項１〜４のいずれか一項に記載の流体洗浄組成物。
【請求項６】
前記カプセル化体が、剪断／圧力感受性作動カプセル化体を含み、それによって内部に含まれる前記感覚性有益剤が、前記カプセル化体上での機械的な力（例えば、摩擦、圧力、剪断応力）に応じて放出される、請求項１〜５のいずれか一項に記載の流体洗浄組成物。
【請求項７】
前記カプセル化体が、尿素−ホルムアルデヒドおよびメラミン−ホルムアルデヒドのマイクロカプセルを含む、請求項１〜６のいずれか一項に記載の流体洗浄組成物。
【請求項８】
前記カプセル化体が拡散作用をもつカプセル化体を含み、中に含まれる前記有益剤が前記カプセル化体の外壁を通じて拡散することによっても放出される、請求項１〜７のいずれか一項に記載の流体洗浄組成物。
【請求項９】
前記カプセル化された有益剤が、皮膚有益剤または嗅覚有益剤および／または揮発性有益剤を含む、請求項１〜８のいずれか一項に記載の流体洗浄組成物。
【請求項１０】
前記カプセル化された有益剤が、以下の：
−香料、昆虫忌避剤、精油、
−メントールおよびアロマセラピー活性物質を含む感覚惹起剤、
−鉱油、ワセリン、ジメチルポリシロキサンを含むシリコーン油、乳酸ラウリルおよび乳酸ミリスチルを含む、皮膚および／または毛髪用の保湿剤および／または皮膚軟化薬、
−亜鉛塩、例えばジンクピリチオンＺｎＰＴＯ、硫酸亜鉛およびそれらの水和物；オクトピロックス（ピロクトンオラミン）、アゾール抗菌剤（例えばクリンバゾール）硫化セレンを含む抗フケ活性物質、
−ポリアルキルシロキサン、ポリアリールシロキサン、ポリアルキルアリールシロキサン、ポリエーテルシロキサンコポリマー、アミノシリコーン、高分子量シリコーンガムおよび／または架橋シリコーンエラストマーを含むシリコーン類、
−カチオン性グアーガム誘導体グアーヒドロキシプロピルトリモニウムクロリドを含む、カチオン性ポリマー
のうちの１以上または任意の組合せから選択される請求項１〜９のいずれか一項に記載の流体洗浄組成物。
【発明の詳細な説明】
【技術分野】
【０００１】
本発明は、改良された分配性も有する、有益剤を含む洗浄流体組成物に関する。本組成物は、特に、個人用入浴、布帛および食器の洗浄などの水系処理で使用するためのものであるが、それだけに限らない。
【背景技術】
【０００２】
流体組成物は、高度な利益を与える有益剤を含むことがあるが、これらの組成物は、重力によって有益剤が移動することを防ぐために構造化または増粘成分を必要とする。
【発明の概要】
【０００３】
本発明の目的は、有益剤を含み、改良された分配性も備えた、個人用入浴ならびに／あるいは食器および／または布帛の洗浄のための組成物を提供することである。
【０００４】
本発明によれば、
（ａ）：
（ｉ）合成界面活性剤；および
（ｉｉ）界面活性剤の組合せ中の総界面活性剤の１０〜９５重量％の範囲内のレベルで存在する、糖脂質型生物系界面活性剤を含む界面活性剤の組合せと、
（ｂ）流体洗浄組成物に懸濁された有益剤であって、有益剤がカプセル化体を含むことを特徴とする有益剤とを含む、流体洗浄組成物が提供される。
【０００５】
基質は、好ましくは布帛表面または硬質表面（例えば調理台またはカトラリーまたは陶器類など）あるいはヒト皮膚または毛髪または歯である。
【０００６】
本発明は、糖脂質型生物系界面活性剤が沈殿防止剤を含む組成物に流動性改質性を提供し、それにより構造化剤などのさらなる懸濁技術を必要とせずに有益剤が懸濁されるが、同時に剪断減粘性によって正確な分配／投薬のためにより小さい開口部を介して分配することが容易となるという点で特に有利である。
【０００７】
本願を通じて、「％」が用いられる場合、それは重量％（ｗｔ．％）を意味するものである。
【０００８】
好ましくは、糖脂質はラムノリピドを含む、しかしその他の糖脂質、例えばソホロ脂質またはその組合せなどを使用してもよい。
【０００９】
好ましくは、組成物は、イオン性塩を含む。この塩は、好ましくは、限定されないが、アルカリ金属、Ｃｓ、Ｎａ、Ｋ、Ｃａ、Ｍｇなどのカチオンと、ハロゲン化物アニオン、より好ましくはＣｌを含むアニオンをはじめとする任意の有機もしくは無機カチオンを含む。その他の好ましい塩は、有機カチオン、例えばアミド（−＋ＮＨ−Ｒ）あるいはアンモニウムカチオンまたはその置換形態、例えばトリエチルアンモニウムを含む（ｃｏｍｐｉｓｅ）。有機カチオンに対するアニオンは、短鎖、中鎖、長鎖、分枝状、環式または直線状であってよいアキル（ａｋｙｌ）、アリール、アリールアルキル部分を含んでよい。
【００１０】
好ましくは、組成物は、塩の０．０１〜５重量％を示す。ＮａＣｌの場合、好ましくはこのレベルは０．５〜２重量％の範囲内である。
【００１１】
好ましくは、糖脂質は、界面活性剤の組合せの２５％〜７５重量％で存在する。
【００１２】
界面活性剤の組合せは、好ましくは合成アニオン性界面活性剤を含む。「アニオン性界面活性剤」は、本明細書において、４〜１１の間の通常の洗浄ｐＨの水溶液中に存在する場合に正味のアニオン電荷を示す１または複数の官能基を含む両親媒性分子として定義される。
【００１３】
好ましくは、有機硫黄反応生成物のアルカリ金属塩は、約６〜２４個の炭素原子、さらに１２個よりも多くの炭素原子を含有するアルキル部分、好ましくはスルホン酸および硫酸エステル部分からなる群から選択される部分もその分子構造中に有する。その上に、またはあるいは、アニオン性界面活性剤は、好ましくは低レベルのエトキシル化を有し、好ましくは分子当たり１〜１２のエチレンオキシド単位、より好ましくは１〜３、さらにより好ましくは１のエチレンオキシド単位を含む。エチレンオキシドの単位は平均であってよい。
【００１４】
処方科学者に、より長い炭素鎖長および／またはより低いレベルのエトキシル化を使用する自由を提供することは、少なからずコストの理由で、非常に有益である。しかし、これらの因子はカルシウム不耐性（ｃａｌｃｉｕｍ  ｉｎｔｏｌｅｒａｎｃｅ）を増加させるので、そのような界面活性剤は本発明に有利な選択である。
【００１５】
好ましいアニオン性界面活性剤としては、第一級アルキル硫酸塩（ＰＡＳ）例えばラウリル硫酸ナトリウム（ＳＬＳ）および例えばアルキルエーテル硫酸塩、例えばラウリルエーテル硫酸ナトリウム（ＳＬＥＳ）、石鹸、脂肪酸エステルスルホン酸塩、脂肪酸硫酸塩またはスルホン酸塩；アルキルベンゼンスルホン酸塩（ＬＡＳ）、スルホコハク酸塩エステル、オレフィンスルホン酸塩、パラフィンスルホン酸塩および有機リン酸塩；脂肪アルコール硫酸塩；アルキルフェノールエーテル硫酸塩；脂肪アシルイセチオネート生成物（この生成物は脂肪アシルイセチオネートおよび遊離脂肪酸および／または脂肪酸塩を含む）；アルキルスルホン酸塩、例えばアルカンスルホン酸ナトリウムが挙げられる。好ましいアニオン性界面活性剤は、上記のアルカリ（例えばアンモニウムまたはトリエチルアンモニウム）およびアルカリ土類金属塩である。供給源の油／アルコールは、植物または動物由来であってよく、例えばココナッツまたはパームまたは獣脂などである。
【００１６】
界面活性剤の組合せは、布帛または硬質表面洗浄組成物中に３〜８５重量％、好ましくは３〜６０重量％、より好ましくは３〜４０重量％、最も好ましくは３〜３５重量％のレベルで存在する。
【００１７】
界面活性剤の組合せは、個人用（ヒト皮膚および毛髪）洗浄組成物中に５〜６０％、好ましくは１０〜４０％の界面活性剤のレベルで存在する。一方、化粧用組成物は界面活性剤を含む必要はないが、好ましくは１％〜３０重量％、より好ましくは１〜１５重量％の界面活性剤を含む。
【００１８】
本発明は、より高価なレオロジー改質剤と比較して、より多くの成分を流体組成物に懸濁する際に特に有利である。
【００１９】
従って、有益剤は巨視的であること、すなわち、直径が３μｍ以上であることが好ましい。
【００２０】
カプセル化体は、好ましくは、コアを取り囲むシェルまたはカプセルを含み、この際、コアが有益剤を含む。
【００２１】
好ましくは、カプセル化体は、マイクロカプセルを含む。好ましくは、カプセル化体は、剪断／圧力感受性作動カプセル化体を含み、それによって内部に含まれる感覚性有益剤が、カプセル化体上の機械的な力（例えば、摩擦、圧力、剪断応力）に応じて放出される。尿素−ホルムアルデヒドおよびメラミン−ホルムアルデヒドマイクロカプセルを用いて、必要な摩擦または圧力に基づく放出機構をもたらすことができる。
【００２２】
その上に、またはあるいは、カプセル化体は、拡散作用をもつこともでき、その際、内部に含まれる感覚性有益剤がカプセル化体の外壁を通じて拡散することによっても放出される。
【００２３】
市販のメラミンホルムアルデヒド系の摩擦放出カプセル化体は、Ａｒｏｍａ  Ｂａｌｌ  Ｔｙｐｅ  １およびＡｒｏｍａ  Ｂａｌｌ  Ｓシリーズカプセル化体、ｅｘ．Ｐｏｌｙｃｈｒｏｍｅ，Ｋｏｒｅａ．である。
【００２４】
好ましくは、シェルは、メラミホルムアルデヒドシェルである。カプセル化体シェルは、好ましくは、限定されるものではないが、ポリウレタン、ポリアミド、ポリオレフィン、多糖、タンパク質、シリコーン、脂質、変性セルロース、ガム、ポリアクリレート、ポリリン酸塩、ポリスチレン、ポリエステルまたはこれらの材料の組合せを含む材料で構成される。本発明で効果的に使用され得るその他のカプセル化剤、例えばポリメチルメタクリレートなど。好ましいカプセル化ポリマーとしては、メラミンホルムアルデヒドまたは尿素ホルムアルデヒド縮合物、ならびに同様の種類のアミノプラストから形成されるポリマーが挙げられる。最も好ましくは、シェルはメラミンホルムアルデヒドを含む。
【００２５】
その上、ゼラチンの単純または複雑なコアセルベーションによって作成されたマイクロカプセルが、本発明の組成物での使用に適している。
【００２６】
アミノプラストカプセル化に使用される代表的なプロセスは、米国特許第３，５１６，９４１号に開示されているが、材料およびプロセス段階に関して多くの変形形態が可能であることが認識されている。ゼラチンカプセル化に使用される代表的なプロセスは、米国特許第２，８００，４５７号に開示されているが、材料およびプロセス段階に関して多くの変形形態が可能であることが認識されている。これらのプロセスは両方ともに、米国特許第４，１４５，１８４号および同第５，１１２，６８８号において消費者製品で使用するための芳香のカプセル化の文脈でそれぞれ考察されている。
【００２７】
カプセル化は、用いるカプセル化技法に応じて細孔空隙または隙間開口部を提供することができる。
【００２８】
当技術分野で公知であり、本発明での使用に適した芳香カプセルは、アミノプラスト樹脂の三次元架橋ネットワーク、より具体的には、尿素−ホルムアルデヒド初期縮合物またはメラミン−ホルムアルデヒド初期縮合物で架橋された置換もしくは非置換アクリル酸ポリマーまたはコポリマーを含む壁またはシェルを含む。
【００２９】
（ｉ）メラミン−ホルムアルデヒドまたは尿素−ホルムアルデヒド初期縮合物および（ｉｉ）プロトン供与官能基部分（例えばスルホン酸基またはカルボン酸無水物基）がそれに結合している置換ビニルモノマー単位を含有するポリマーを用いる、前述の機構に類似の機構を用いるマイクロカプセル形成は、米国特許第４，４０６，８１６号（２−アクリルアミド−２−メチル−プロパンスルホン酸基）、英国公開特許出願第２，０６２，５７０号（スチレンスルホン酸基）および英国公開特許出願第２，００６，７０９号（カルボン酸無水物基）に開示されている。
【００３０】
カプセル化体は、コアにキャリアオイルをさらに含んでもよい。キャリアオイルは、本発明で使用される揮発性有益剤材料に混和性の疎水性材料である。適したオイルは、有益剤に対して適度な親和性を有するオイルである。有益剤が香料である場合、適した材料としては、限定されるものではないが、トリグリセリド油、モノグリセリドおよびジグリセリド、鉱油、シリコーン油、フタル酸ジエチル、ポリアルファオレフィン、ヒマシ油およびミリスチン酸イソプロピルが挙げられる。好ましくは、オイルはトリグリセリド油、最も好ましくはカプリン酸／カプリル酸トリグリセリド油が挙げられる。
【００３１】
カプセルの粒径および平均径は、約１０ナノメートル〜約１０００ミクロン、好ましくは約５０ナノメートル〜約１００ミクロン、より好ましくは約２〜約４０ミクロン、さらにより好ましくは約４〜１５ミクロンを変動し得る。特に好ましい範囲は約５〜１０ミクロン、例えば、６〜７ミクロンである。カプセル分布は、狭くてもよいし、広くてもよいし、多峰性であってもよい。多峰性分布は、異なる種類のカプセルの化学的性質で構成され得る。
【００３２】
シェルは、沈殿補助剤をさらに含むことができ、それは好ましくは共有結合している。
【００３３】
好ましい沈殿補助剤は多糖である。多糖は、好ましくはβ−１，４−結合主鎖を有する。
【００３４】
好ましくは、多糖は、セルロース、セルロース誘導体、あるいはセルロースに対する親和性を有する別のβ−１，４−結合多糖、例えばポリマンナン、ポリグルカン、ポリグルコマンナン、ポリキシログルカンおよびポリガラクトマンナンまたはそれらの混合物などである。より好ましくは、多糖は、ポリキシログルカンおよびポリガラクトマンナンからなる群から選択される。
【００３５】
非常に好ましい多糖は、ローカストビーンガム、タマリンドガム、キシログルカン、非イオン性グアーガム、カチオン性デンプン、またはそれらの混合物から選択される。最も好ましくは、沈殿補助剤はローカストビーンガムである。
【００３６】
好ましくは、多糖主鎖は、β−１，４結合だけを有する。多糖は、β−１，４結合に加えて結合、例えばβ−１，３結合などを有してもよい。従って、何らかのその他の結合が存在してもよい。サッカリド環でない何らかの材料を含む多糖主鎖も（ポリサッカリド環の末端であろうと内部であろうと）本発明の範囲内である。
【００３７】
多糖は、直鎖状であっても分枝状であってもよい。多くの天然に存在する多糖は少なくともいくらかの分岐度を有するか、または少なくとも一部のサッカリド環は、主な多糖主鎖上のペンダント側基の形である（従って置換度を決定する際にそれら自体はカウントされない）。
【００３８】
好ましくは、多糖は、粒子の総量の重量で０．１％〜１０％  ｗ／ｗのレベルで存在する。
【００３９】
沈殿補助剤（多糖であることが好ましい）は、共有結合、絡み合いまたは強い吸着によって、好ましくは共有結合または絡み合いによって、最も好ましくは共有結合によって粒子に付着する。絡み合いとは、本明細書において、重合が進行し粒子のサイズが大きくなるにつれて沈殿補助剤が粒子上に吸着し、吸着した沈殿補助剤の一部分が粒子の内部に埋もれることを意味する。そのため、重合の終わりに、沈殿補助剤の一部分は粒子のポリマーマトリックスに捕捉され結び付けられるが、一方で残りは自由に水相の中に広がる。
【００４０】
強い吸着とは、本明細書において、沈殿補助剤と粒子の表面との強い吸着を意味し；そのような吸着は、例えば、沈殿補助剤と粒子との間の水素結合、ファンデルワールスまたは静電引力によって起こり得る。
【００４１】
沈殿補助剤は従って主に粒子表面と付着し、かなりの程度まで粒子の内部バルク全体に分布することはない。これは例えばポリマー鎖の長さに沿って多糖がグラフトされ得るグラフト共重合体とは異なる。グラフト共重合体から形成される粒子は、従って粒子の内部バルク全体ならびに粒子表面上に多糖を含有するが、本発明はそのような粒子を包含することを意図しない。従って、本発明のプロセスに従って沈殿補助剤として多糖を用いる場合に生成される粒子は「毛様粒子」と考えられ得、これはグラフト共重合体とは異なる。多糖共重合体を利用する系と同じレベルの活性を実現するために、非常に少ない沈殿補助剤しか必要としないので、本発明のこの特徴は、製造業者にかなりのコスト削減の機会を提供する。
【００４２】
沈殿補助剤は、シェルの最も外側の部分に存在し、シェルは厚さ５〜２０ｎｍのメラミンホルムアルデヒドポリマーでできている。
【００４３】
汚れ放出性を有する、テレフタル酸およびその他の芳香族ジカルボン酸のポリエステル、特に、いわゆるＰＥＴ／ＰＯＥＴ（ポリ（エチレンテレフタラート）／ポリオキシエチレンテレフタラート）およびＰＥＴ／ＰＥＧ（ポリ（エチレンテレフタラート）／ポリエチレングリコール）ポリエステルを沈殿補助剤として用いてよい。
【００４４】
ポリマーは、（１または複数の）反応性色素と共有結合させるために、１モルのポリマーあたり少なくとも１モルの遊離ＯＨ基を有さねばならない。最も好ましくは、ポリマーは少なくとも２個の遊離ＯＨ基を含む。好ましくは、ＯＨ基はポリマーの末端基である。
【００４５】
好ましくは、オキシアルキレンオキシ［−Ｏ（ＣＨ２）ｔＯ−］は、オキシ−１，２−プロピレンオキシ［−ＯＣＨ２ＣＨ（Ｍｅ）Ｏ−］；オキシ−１，３−プロピレンオキシ［Ｏ−ＣＨ２ＣＨ２ＣＨ２Ｏ−］；および、オキシ−１，２−エチレンオキシ［−ＯＣＨ２ＣＨ２Ｏ−］（ｔは整数である）から選択される。明白なように、オキシアルキレンオキシの１または複数のＣＨ２基は、（１または複数の）Ｃ１〜Ｃ４アルキル基で置換されてよい。
【００４６】
ポリオキシアルキレンオキシは、ポリマーの水溶性を促進する。好ましくは、ポリオキシアルキレンオキシ［−Ｏ（ＣＨ２）ｗ−］ｓＯ−は、ポリオキシ−１，２−プロピレンオキシ［−Ｏ（ＣＨ２ＣＨ（Ｍｅ）−］ｓＯ−；ポリオキシ−１，３−プロピレンオキシ［Ｏ−ＣＨ２ＣＨ２ＣＨ２−］ｓＯ−；および、ポリオキシ−１，２−エチレンオキシ［Ｏ−ＣＨ２ＣＨ２−］ｓＯ−から選択される。ポリオキシアルキレンオキシは、異なるオキシアルキレンオキシの混合物であってよい。異なるポリオキシアルキレンオキシ種がポリマー中に存在してもよい（ｓおよびｗは整数である）。
【００４７】
好ましくは、ジカルボン酸フェニルは、１，４−ジカルボン酸フェニルである。好ましくは、ジカルボン酸フェニルは、−ＯＣ（Ｏ）Ｃ６Ｈ４Ｃ（Ｏ）Ｏ−の形態である。
【００４８】
好ましいポリマーの例は、ＰＥＴ／ＰＯＥＴ（ポリエチレンテレフタラート／ポリオキシエチレンテレフタラート）、ＰＥＧ／ＰＯＥＴ（ポリエチレングリコール／ポリオキシエチレンテレフタラート）またはＰＥＴ／ＰＥＧ（ポリエチレンテレフタラート／ポリエチレングリコール）ポリマーである。最も好ましいのはＰＥＴ／ＰＯＥＴである。
【００４９】
好ましいポリマーの構造は以下のとおりである。
【化１】
2016526057.tif 000002
【００５０】
［式中、
Ｒ２は、ＨまたはＣＨ３から選択され、好ましくはＨであり；
ｂは、２または３、好ましくは２であり；
ｙは、２〜１００、好ましくは５〜５０であり；
ｎおよびｍは、独立に、１〜１００、好ましくは２〜３０であり；かつ、ポリマー末端（末端）基は、（ＣＨ２）ｂＯＨである〕。
【００５１】
ポリマーは、多様な経路、例えば、テレフタル酸ジメチルとエチレングリコールおよびポリエチレングリコールとのエステル化反応によって合成されてよく、この反応は、「Ｐｏｌｙｍｅｒ  Ｂｕｌｌｅｔｉｎ  ２８，４５１〜４５８（１９９２）において考察されている。別の例は、テレフタル酸のエチレングリコールおよび／またはプロピレングリコールおよびポリプロピレングリコールによる直接エステル化でありうる。さらなる例は、ポリエチレンテレフタラートとポリエチレングリコールまたはポリプロピレンギコール（ｇｙｃｏｌ）とのエステル交換でありうる。
【００５２】
ポリマーの数平均分子量は、１０００〜５０，０００の範囲内であり、好ましくは、ポリマーの平均分子量は１０００〜１５０００、より好ましくは２０００〜１００００であることが好ましい。
【００５３】
好ましくは、カプセル化された有益剤は、皮膚有益剤または嗅覚有益剤を含み、かつ／または揮発性有益剤であってよい。感覚性有益剤は、毛髪および／または硬質表面および／または布帛にも利益を有することができる。
【００５４】
適した揮発性有益剤としては、限定されるものではないが、香料、昆虫忌避剤、精油、メントールなどの感覚惹起剤およびアロマセラピー活性物質、好ましくは香料が挙げられる。揮発性有益剤の混合物が使用されてよい。
【００５５】
有益剤の合計量は、組成物の総重量に基づいて、好ましくは０．０１〜１０重量％、より好ましくは０．０５〜５重量％、さらにより好ましくは０．１〜４．０％、最も好ましくは０．１５〜４．０重量％である。
【００５６】
好ましい有益剤は、香料である。本発明の組成物は、閉じ込められていない（カプセル化されていないとも呼ばれる）揮発性有益剤も含む。揮発性有益剤が香料である場合、下に記載される香料は、カプセル化された揮発性有益剤として、また、閉じ込められていない香料成分として使用に適している。
【００５７】
適したものであればどんな香料または香料の混合物を使用してもよい。香料の有用な成分としては、天然および合成の両方の起源の材料が挙げられる。それらには、単一の化合物と混合物が含まれる。そのような成分の具体例は、最近の文献、例えば、ｉｎ  Ｆｅｎａｒｏｌｉ’ｓ  Ｈａｎｄｂｏｏｋ  ｏｆ  Ｆｌａｖｏｒ  Ｉｎｇｒｅｄｉｅｎｔｓ，１９７５，ＣＲＣ  Ｐｒｅｓｓ；Ｓｙｎｔｈｅｔｉｃ  Ｆｏｏｄ  Ａｄｊｕｎｃｔｓ，１９４７  ｂｙ  Ｍ．Ｂ．Ｊａｃｏｂｓ，ｅｄｉｔｅｄ  ｂｙ  Ｖａｎ  Ｎｏｓｔｒａｎｄ；またはＰｅｒｆｕｍｅ  ａｎｄ  Ｆｌａｖｏｒ  Ｃｈｅｍｉｃａｌｓ  ｂｙ  Ｓ．Ａｒｃｔａｎｄｅｒ  １９６９，Ｍｏｎｔｃｌａｉｒ，Ｎ．Ｊ．（ＵＳＡ）に見出すことができる。これらの物質は、消費者製品に賦香する、風味付けする、かつ／または芳香を添加する、すなわち、匂いおよび／または香味または風味を伝統的に賦香または風味付けされた消費者製品に付与する、あるいは前記消費者製品の匂いおよび／または風味を変更する分野の当業者に周知である。
【００５８】
香料とは、本文脈において完全に配合された製品である芳香を意味するだけでなく、その芳香の選択された成分、特に失われやすい成分、例えばいわゆる「トップノート」なども意味する。
【００５９】
トップノートは、Ｐｏｕｃｈｅｒ（Ｊｏｕｒｎａｌ  ｏｆ  ｔｈｅ  Ｓｏｃｉｅｔｙ  ｏｆ  Ｃｏｓｍｅｔｉｃ  Ｃｈｅｍｉｓｔｓ  ６（２）：８０［１９５５］）によって定義されている。周知のトップノートの例としては、柑橘油、リナロール、酢酸リナリル、ラベンダー、ジヒドロミルセノール、ローズオキシドおよびシス−３−ヘキサノールが挙げられる。トップノートは、一般に香料組成物の１５〜２５重量％を占め、トップノートのレベルの増加した本発明の実施形態では、少なくとも２０重量％がカプセル化体の中に存在することが想定される。
【００６０】
香料またはプロフレグランスの一部または全部はカプセル化されてよく、カプセル化するために有利な典型的な香料成分としては、相対的に低い沸点を有する成分、好ましくは３００℃未満、好ましくは１００〜２５０℃の沸点をもつ成分およびそのような成分を生成することのできるプロフレグランスが挙げられる。
【００６１】
また、低いＣｌｏｇ  Ｐを有する（すなわち、水に分配される）、好ましくは３．０未満のＣｌｏｇ  Ｐをもつ香料成分をカプセル化することも有利である。相対的に低い沸点および相対的に低いＣｌｏｇ  Ｐのこれらの材料は、「遅延ブルーミング」香料成分と呼ばれ、それには、以下の材料が挙げられる：
カプロン酸アリル、酢酸アミル、プロピオン酸アミル、アニス酸アルデヒド、アニソール、ベンズアルデヒド、酢酸ベンジル、ベンジルアセトン、ベンジルアルコール、ギ酸ベンジル、イソ吉草酸ベンジル、プロピオン酸ベンジル、βγヘキセノール、カンファーガム、Ｌ−カルボン、ｄ−カルボン、桂皮アルコール、ギ酸シンナミル、シス−ジャスモン、シス−３−ヘキセニルアセテート、クミンアルコール、シクラールＣ、ジメチルベンジルカルビノール、ジメチルベンジルカルビノールアセテート、酢酸エチル、アセト酢酸エチル、エチルアミルケトン、安息香酸エチル、酪酸エチル、エチルヘキシルケトン、エチルフェニルアセテート、ユーカリプトール、オイゲノール、酢酸フェンキル、フロルアセテート（トリシクロデセニルアセテート）、フルテン（Ｆｒｕｔｅｎｅ）（トリシクロデセニルプロピオネート）、ゲラニオール、ヘキセノール、ヘキセニルアセテート、酢酸ヘキシル、ギ酸ヘキシル、ヒドラトロピックアルコール、ヒドロキシシトロネラール、インドン（Ｉｎｄｏｎｅ）、イソアミルアルコール、イソメントン、イソプレギルアセテート、イソキノロン、リグストラール（Ｌｉｇｕｓｔｒａｌ）、リナロール、リナロールオキシド、ギ酸リナリル、メントン、メチルアセトフェノン、メチルアミルケトン、アントラニル酸メチル、安息香酸メチル、メチルべニル（Ｂｅｎｙｌ）アセテート、メチルオイゲノール、メチルヘプテノン、炭酸メチルヘプチン、メチルヘプチルケトン、メチルヘキシルケトン、酢酸メチルフェニルカルビニル、サリチリ酸メチル、メチル−Ｎ−メチルアントラニレート、ネロール、オクタラクトン、オクチルアルコール、ｐ−クレゾール、ｐ−クレゾールメチルエーテル、ｐ−メトキシアセトフェノン、ｐ−メチルアセトフェノン、フェノキシエタノール、フェニルアセトアルデヒド、フェニルエチルアセテート、フェニルエチルアルコール、フェニルエチルジメチルカルビノール、酢酸プレニル、プロピルボルナート（Ｂｏｒｎａｔｅ）、プレゴン、ローズオキシド、サフロール、４−テルピネノール（Ｔｅｒｐｉｎｅｎｏｌ）、α−テルピネノール（Ｔｅｒｐｉｎｅｎｏｌ）、および／またはビリジン。
【００６２】
カプセル化されていないかまたは「遊離型の」香料成分が使用される場合、好ましいものは、ＣｌｏｇＰが３よりも大きい疎水性香料成分である。本明細書において、用語「ＣｌｏｇＰ」とは、オクタノール／水分配係数（Ｐ）の底１０に対して計算した対数を意味する。香料原材料（ＰＲＭ）のオクタノール／水分配係数は、オクタノール中と水中のその平衡濃度の比である。この尺度が、非極性溶媒（オクタノール）中のＰＲＭの平衡濃度の極性溶媒（水）中のその濃度との比であるとすると、ＣｌｏｇＰは材料の疎水性の尺度でもある−ＣｌｏｇＰ値が高いほど、材料は疎水性が高い。ＣｌｏｇＰ値は、「ＣＬＯＧＰ」と呼ばれるプログラムから容易に計算することができ、それは米国カリフォルニア州アーバインのデイライト・ケミカル・インフォメーション・システムズ社から入手可能である。オクタノール／水分配係数は、米国特許第５，５７８，５６３号に詳細に説明されている。
【００６３】
３よりも大きいＣｌｏｇＰをもつ香料成分は、：Ｉｓｏ  Ｅ  Ｓｕｐｅｒ、シトロネロール、桂皮酸エチル、バンガロール、２，４，６−トリメチルベンズアルデヒド、ヘキシルシンナミックアルデヒド、２，６−ジメチル−２−ヘプタノール、ジイソブチルカルビノール、サリチル酸エチル、イソ酪酸フェネチル、エチルヘキシルケトン、プロピルアミルケトン、ジブチルケトン、ヘプチルメチルケトン、４，５−ジヒドロトルエン、カプリル酸アルデヒド、シトラール、ゲラニアール、安息香酸イソプロピル、シクロヘキサンプロピオン酸、カンホレンアルデヒド、カプリル酸、カプリル酸アルコール、クミンアルデヒド、１−エチル−４−ニトロベンゼン、蟻酸ヘプチル、４−イソプロピルフェノール、２−イソプロピルフェノール、３−イソプロピルフェノール、二硫化アリル、４−メチル−１−フェニル−２−ペンタノン、２−プロピルフラン、カプロン酸アリル、スチレン、イソオイゲニルメチルエーテル、インドナフテン、スベリン酸ジエチル、Ｌ−メントン、メントンラセミ、イソ酪酸ｐ−クレシル、酪酸ブチル、ヘキサン酸エチル、吉草酸プロピル、ｎ−ペンチルプロパノエート、酢酸ヘキシル、ヘプタン酸メチル、トランス−３，３，５−トリメチルシクロヘキサノール、３，３，５−トリメチルシクロヘキサノール、ｐ−アニス酸エチル、２−エチル−１−ヘキサノール、イソ酪酸ベンジル、２，５−ジメチルチオフェン、２−ブテン酸イソブチル、カプリルニトリル、γ−ノナラクトン、ネロール、トランス−ゲラニオール、１−ビニルヘプタノール、ユーカリプトール、４−テルピネノール（Ｔｅｒｐｉｎｅｎｏｌ）、ジヒドロカルベオール、２−メトキシ安息香酸エチル、シクロヘキサンカルボン酸エチル、２−エチルヘキサナール、エチルアミルカルビノール、２−オクタノール、２−オクタノール、エチルメチルフェニルグリシデート、ジイソブチルケトン、クマロン、イソ吉草酸プロピル、ブタン酸イソブチル、プロパノン酸イソペンチル、２−エチルブチルアセテート、６−メチル−テトラヒドロキノリン、オイゲニルメチルエーテル、ジヒドロ桂皮酸エチル、３，５−ジメトキシトルエン、トルエン、安息香酸エチル、ｎ−ブチロフェノン、α−テルピネオール、２−メチル安息香酸メチル、４−メチル安息香酸メチル、メチル３、メチルベンゾエート、ｓｅｃ．ブチルｎ−ブチレート、１，４−シネオール、フェンキルアルコール、ピナノール（Ｐｉｎａｎｏｌ）、シス−２−ピナノール（Ｐｉｎａｎｏｌ）、２，４，ジメチルアセトフェノン、イソオイゲノール、サフロール、２−オクチン酸メチル、ｏ−メチルアニソール、ｐ−クレジルメチルエーテル、アントラニル酸エチル、リナロール、酪酸フェニル、エチレングリコールジブチラート、フタル酸ジエチル、フェニルメルカプタン、クミック（Ｃｕｍｉｃ）アルコール、ｍ−トルキノリン、６−メチルキノリン、レピジン、２−エチルベンズアルデヒド、４−エチルベンズアルデヒド、ｏ−エチルフェノール、ｐ−エチルフェノール、ｍ−エチルフェノール、（＋）−プレゴン、２，４−ジメチルベンズアルデヒド、イソキシルアルデヒド、ソルビン酸エチル、プロピオン酸ベンジル、１，３−ジメチルブチルアセテート、イソブタ���酸イソブチル、２，６−キシレノール、２，４−キシレノール、２，５−キシレノール、３，５−キシレノール、桂皮酸メチル、ヘキシルメチルエーテル、ベンジルエチルエーテル、サリチル酸メチル、ブチルプロピルケトン、エチルアミルケトン、ヘキシルメチルケトン、２，３−キシレノール、３，４，キシレノール、シクロペンタデナノリド（Ｃｙｃｌｏｐｅｎｔａｄｅｎａｎｏｌｉｄｅ）およびフェニルエチル２フェニルアセテート２を含む。
【００６４】
本発明の組成物において、上記の遅延ブルーミング香料の与えられるリスト、および／または香料中に存在する３よりも大きいＣｌｏｇＰをもつ香料成分のリストから４以上、好ましくは５以上、より好ましくは６以上またはさらには７以上の異なる香料成分が存在することが想定される。
【００６５】
有益剤は、昆虫忌避性も提供してもよい。化学的には、最も忌避性の高い活性物質は４つの群：アミド類、アルコール類、エステル類またはエーテル類のうちの１つに属する。本発明での使用に適した物質は、相対的に低い融点と１５０℃よりも高い沸点をもつ液体または固体、好ましくは液体である。それらは室温でゆっくりと蒸発する。
【００６６】
有利には、昆虫忌避剤は、香料種に関連する（最も好ましくは、成分は両方のクラスに分類される）。最も一般的に使用される昆虫忌避剤としては、ＤＥＥＴ（Ｎ，Ｎ−ジエチル−ｍ−トルアミド）、レモンユーカリ（コリンビア・シトリオドラ（Ｃｏｒｙｍｂｉａ  ｃｉｔｒｉｏｄｏｒａ））の精油およびその活性化合物ｐ−メンタン−３，８−ジオール（ＰＭＤ）、イカリジン（ピカリジンとしても公知）、Ｄ−リモネン、バイレペル、およびＫＢＲ３０２３、ネペタラクトン（「キャットニップ油」としても公知）、シトロネラ油、ペルメトリン、ニーム油およびヤチヤナギが挙げられる。
【００６７】
好ましい天然起源由来の昆虫忌避剤としては、アキレア・アルピナ（Ａｃｈｉｌｌｅａ  ａｌｐｉｎａ）、α−テルピネン、バジル油（オシマム・バジリカム（Ｏｃｉｍｕｍ  ｂａｓｉｌｉｃｕｍ））、カリカルパ・アメリカーナ（Ｃａｌｌｉｃａｒｐａ  ａｍｅｒｉｃａｎａ）（ビューティーベリー）、樟脳、カルバクロール、ヒマシ油（リシナス・コミュニス（Ｒｉｃｉｎｕｓ  ｃｏｍｍｕｎｉｓ））、キャットニップ油（ネペタ種）、シダー油（ケドルス・アトランティカ（Ｃｅｄｒｕｓ  ａｔｌａｎｔｉｃａ））、セロリ抽出物（アピウム・グラウェオレンス（Ａｐｉｕｍ  ｇｒａｖｅｏｌｅｎｓ））、シナモン（シナモマム・ゼイラニカム（Ｃｉｎｎａｍｏｍｕｍ  ｚｅｙｌａｎｉｃｕｍ）、リーフ油）、シトロネラ油（シンボポゴン・フロイスス（Ｃｙｍｂｏｐｏｇｏｎ  ｆｌｅｕｓｕｓ）、丁子油（エウゲニア・カリオフィラタ（Ｅｕｇｅｎｉｃ  ｃａｒｙｏｐｈｙｌｌａｔａ））、ユーカリ油（７０％＋ユーカリプトール、シネオールとしても公知）、フェンネル油（フォエニクルム・ウルガレ（Ｆｏｅｎｉｃｕｌｕｍ  ｖｕｌｇａｒｅ））、ニンニク油（アリウム・サティヴム（Ａｌｌｉｕｍ  ｓａｔｉｖｕｍ））、ゼラニウム油（ペラルゴニウム・グラウェオレンス（Ｐｅｌａｒｇｏｎｉｕｍ  ｇｒａｖｅｏｌｅｎｓ）としても公知）、ラベンダー油（ラバンデュラ・オフィキナリス（Ｌａｖａｎｄｕｌａ  ｏｆｆｉｃｉｎａｌｉｓ））、レモンユーカリ（コリンビア・シトリオドラ）の精油およびその有効成分ｐ−メンタン−３，８−ジオール（ＰＭＤ）、レモングラス油（シンボポゴン・フレクスオスス（Ｃｙｍｂｏｐｏｇｏｎ  ｆｌｅｘｕｏｓｕｓ））、マリーゴールド（タゲテス種）、マージョラム（テトラニクス・ウルチカエ（Ｔｅｔｒａｎｙｃｈｕｓ  ｕｒｔｉｃａｅ）およびオイテトラニクス・オリエンタリス（Ｅｕｔｅｔｒａｎｙｃｈｕｓ  ｏｒｉｅｎｔａｌｉｓ）、ニーム油（アザディラクタ・インディカ（Ａｚａｄｉｒａｃｈｔａ  ｉｎｄｉｃａ））、オレイン酸、ペパーミント（メンタｘピペリタ（Ｍｅｎｔｈａ  ｘ  ｐｉｐｅｒｉｔａ））、ボレイハッカ（メンタ・プレギウム（Ｍｅｎｔｈａ  ｐｕｌｅｇｉｕｍ））、除虫菊（クリサンテマム種、特にＣ．シネラリイフォリウム（ｃｉｎｅｒａｒｉｉｆｏｌｉｕｍ）およびＣ．コッキネウム（ｃｏｃｃｉｎｅｕｍ）由来）、ローズマリー油（ロスマリヌス・オフィシナリス（Ｒｏｓｍａｒｉｎｕｓ  ｏｆｆｉｃｉｎａｌｉｓ））、スパニッシュフラッグ  ランタナカマラ（ヘロペルチス・テイボラ（Ｈｅｌｏｐｅｌｔｉｓ  ｔｈｅｉｖｏｒａ））、ソラナム・ヴィロサム（Ｓｏｌａｎｕｍ  ｖｉｌｌｏｓｕｍ）ベリージュース、チャノキ油（メラリウカ・アルテリニフォリア（Ｍｅｌａｌｅｕｃａ  ａｌｔｅｒｎｉｆｏｌｉａ））およびタイム（タイムス種）およびそれらの混合物が挙げられる。
【００６８】
好ましいカプセル化された昆虫忌避剤は、英国ロチェスター、Ｃｅｌｅｓｓｅｎｃｅ社より入手可能な蚊忌避剤Ｃｅｌｅｓｓｅｎｃｅ  Ｒｅｐｅｌ（有効成分Ｓａｌｔｉｄｉｎ（商標）を含有）およびＣｅｌｅｓｓｅｎｃｅ  Ｒｅｐｅｌ  Ｎａｔｕｒａｌ（有効成分Ｃｉｔｒｅｐｅｌ（商標）７５を含有）である。Ｓａｌｔｉｄｉｎは、元来バイエル社が開発した人工の分子である。Ｃｉｔｒｅｐｅｌはユーカリ油から生成され、ｐ−メンタン−３，８−ジオール（ＰＭＤ）の含有量が高い。好ましいカプセル化されていない忌避剤は、Ｃｉｔｒｅｆｉｎｅによって供給されるＣｉｔｒｉｏｄｉｏｌ（商標）である。
【００６９】
好ましくは、有益剤は、いわゆる「アロマセラピー」材料を含む。これらには、クラリセージ、ユーカリ、ゼラニウム、ラベンダー、メース抽出物、ネロリ、ナツメグ、スペアミント、スイート・バイオレット・リーフおよびカノコソウなどの精油の成分が含まれる。
【００７０】
本発明で用いるためのその他の有益剤は、限定されないが、皮膚および／または毛髪用の保湿剤および／または皮膚軟化薬、例えば鉱油、ワセリン、ジメチルポリシロキサンなどのシリコーン油、乳酸ラウリルおよび乳酸ミリスチルを含むものである。皮膚軟化薬／油は、通常、存在する場合、組成物の１％〜２０％を占める。
【００７１】
毛髪に適した有益剤としては、抗フケ活性物質、例えば、亜鉛塩、例えばジンクピリチオンＺｎＰＴＯ、硫酸亜鉛およびそれらの水和物；オクトピロックス（ピロクトンオラミン）、アゾール抗菌剤（例えばクリンバゾール）硫化セレンおよびそれらの任意の組合せが挙げられる。
【００７２】
好ましくは、全組成物中の抗フケ剤のレベルは０．１〜５％である。
【００７３】
毛髪に適したその他の有益剤としては、シリコーン類、例えばポリアルキルシロキサン、ポリアリールシロキサン、ポリアルキルアリールシロキサン、ポリエーテルシロキサンコポリマーおよびそれらの混合物；アミノシリコーン類、高分子量シリコーンガム類および／または架橋シリコーンエラストマー類が挙げられる。
【００７４】
好ましくは、シリコーンは、全組成物の約０．０１〜約１０重量％で存在する。
【００７５】
その他の有益剤は、毛髪を整えるためにカチオン性ポリマーを含む。
【００７６】
使用することのできる特に適した種類のカチオン性多糖ポリマーは、カチオン性グアーガム誘導体、例えばグアーヒドロキシプロピルトリモニウムクロリド（Ｒｈｏｎｅ−Ｐｏｕｌｅｎｃ社よりそのＪＡＧＵＡＲという商標シリーズで市販されている）である。
【００７７】
例は、カチオン基の置換度が低く、粘度の高いＪＡＧＵＡＲ  Ｃ１３Ｓ、置換度が中程度であり粘度の低いＪＡＧＵＡＲ  Ｃ１５、ＪＡＧＵＡＲ  Ｃ１７（置換度が高く、粘度が高い）、低レベルの置換基ならびにカチオン性第四級アンモニウム基を含有するヒドロキシプロピル化カチオン性グアー誘導体であるＪＡＧＵＡＲ  Ｃ１６、および透明度が高く、低い置換度を有する中程度の粘度グアーであるＪＡＧＵＡＲ  １６２である。
【００７８】
好ましくは、カチオン性コンディショニングポリマーは、カチオン性セルロースおよびカチオン性グアー誘導体から選択される。特に好ましいカチオン性ポリマーは、ＪＡＧＵＡＲ  Ｃ１３Ｓ、ＪＡＧＵＡＲ  Ｃ１５、ＪＡＧＵＡＲ  Ｃ１７およびＪＡＧＵＡＲ  Ｃ１６およびＪＡＧＵＡＲ  Ｃ１６２である。
【００７９】
カチオン性コンディショニングポリマーは、通常、本発明の組成物中に組成物の０．０１〜５、好ましくは０．０５〜１、より好ましくは０．０８〜０．５重量％のレベルで存在することになる。
【００８０】
カチオン性コンディショニングポリマーが本発明に従うシャンプー組成物中に存在する場合、平均径（Ｍａｌｖｅｒｎ粒径分析計を用いて光散乱により測定されるＤ３，２）が２μｍ以下の乳濁液粒子としてコポリマーが存在するならば、それは好ましい。
【００８１】
本発明のシャンプー組成物は、好ましくは水性である、すなわち、それらは水または水溶液またはリオトロピック液晶相をそれらの主成分として有する。好適には、組成物は、組成物の総重量に基づいて５０〜９８重量％、好ましくは６０〜９０重量％の水を含む。
【００８２】
組成物は、高い水硬度の水、好ましくは５°ＦＨよりも大きい、好ましくは４０°ＦＨよりも大きい、より好ましくは９０°ＦＨよりも大きい水中で洗浄するために特に有用である。
【００８３】
本発明の組成物は、好ましくはビルダーを含まない。
【００８４】
本発明の組成物は、本明細書下文に記載されるようなその他の成分を含んでよい。
【００８５】
植物油：ラッカセイ油、キャノーラ（ｃａｎｎｏｌａ）油、ヒマシ油、カカオバター、ココナッツ油、トウモロコシ油、綿実油、オリーブ油、パーム核油、菜種油、サフラワー種子油、ゴマ種子油およびダイズ油。
【００８６】
エステル：ミリスチン酸ブチル、パルミチン酸セチル、オレイン酸デシル、ラウリン酸グリセリル、リシノール酸グリセリル、ステアリン酸グリセリル、イソステアリン酸グリセリル、ラウリン酸ヘキシル、パルミチン酸イソブチル、ステアリン酸イソセチル、イソステアリン酸イソプロピル、ラウリン酸イソプロピル、リノール酸イソプロピル、ミリスチン酸イソプロピル、パルミチン酸イソプロピル、ステアリン酸イソプロピル、プロピレングリコールモノラウレート、プロピレングリコールリシノレート、ステアリン酸プロピレングリコール、およびイソステアリン酸プロピレングリコール。
【００８７】
動物性脂肪：アシチルアテルト（Ａｃｙｔｙｌａｔｅｌｔｅ）ラノリンアルコール、ラノリン、ラード、ミンク油および獣脂。
【００８８】
脂肪酸およびアルコール：ベヘン酸、パルミチン酸、ステアリン酸、ベヘニルアルコール、セチルアルコール、エイコサニルアルコールおよびイソセチルアルコール。
【００８９】
懸濁に特に適した手洗いおよび布帛洗浄組成物中の有益剤は、乳白剤および、機能成分がその中に埋め込まれているかまたはいない視覚的手がかりおよびその他の成分、抗菌剤である。手洗いおよび布帛洗浄組成物は、ポリエステルサブスタンティブ（ｓｕｂｓｔａｎｔｉｖｅ）汚れ放出ポリマー、ヒドロトロープ、乳白剤、着色剤、その他の酵素、非イオン性、カチオン性およびまたは両性界面活性剤などのさらなる界面活性剤、柔軟剤、汚れの再付着防止用ポリマー、漂白剤、漂白剤活性剤および漂白剤触媒、酸化防止剤、ｐＨ制御剤および緩衝剤、増粘剤、レオロジー修飾のための外部構造化剤、当業者に公知の視覚的手がかりをさらに含む。
【００９０】
組成物は、好ましくは液体またはゲルである。
【００９１】
本発明は、以下の非限定例を参照してさらに説明される。
【図面の簡単な説明】
【００９２】
【図１】０．５％ＮａＣｌでの生物系界面活性剤（０％、２５％、５０％、７５％）シャンプーのレオロジープロフィールをグラフで説明する図である。
【図２】１．０％ＮａＣｌでの生物系界面活性剤（０％、２５％、５０％、７５％）シャンプーのレオロジープロフィールをグラフで説明する図である。
【図３】１．５％ＮａＣｌでの生物系界面活性剤（０％、２５％、５０％、７５％）シャンプーのレオロジープロフィールをグラフで説明する図である。
【図４】２．０％ＮａＣｌでの生物系界面活性剤（０％、２５％、５０％、７５％）シャンプーのレオロジープロフィールをグラフで説明する図である。
【発明を実施するための形態】
【００９３】
本発明に従う生物系界面活性剤シャンプーを作成するためのプロトコール。
【００９４】
１．必要なＳＬＥＳ  １ＥＯ（活性物質２８％）をビーカーに添加する。
【００９５】
２．必要な生物系界面活性剤（全ＳＬＥＳ界面活性剤の０％、２５％、５０％および７５％置換）を混合しながら添加する。
【００９６】
３．脱塩水（沈殿補助ポリマー／香料混合物中ですすぐために水全体の１０％を維持する）を添加する。
【００９７】
４．Ｃａｒｂｏｐｏｌ  ９８０（スラリー４％）を添加し、完全な混合を確実にするために少なくとも３０分間混合させる。
【００９８】
５．別個のビーカーでＪＡＧＵＡＲ  Ｃ１４Ｓと香料を一緒に混合し、その後主バッチに添加する。主バッチに入れたビーカーの中身を洗浄するために残った水を使用する。シャンプーを２０分間混合させて、完全に混合させる。
【００９９】
６．シリコーンを添加し、１０分間混合する。
【０１００】
７．ＣＡＰＢをゆっくりと添加し、１０分間混合させる。
【０１０１】
８．Ｇｌｙｄａｎｔ防腐剤を添加する。
【０１０２】
９．混合物のｐＨを測定する。ＮａＯＨを添加して５．５〜６．５の間に合わせる。
【０１０３】
１０．必要なＮａＣｌをバッチに添加し、１０分間混合させる。
【０１０４】
１１．カプセル化体を添加する。
【０１０５】
ステップ１〜１０によって生成された２００ｇの処方は、下に詳述される処方Ａを生成した。
【表１】
2016526057.tif 000003
【０１０６】
１．レオロジー測定方法
シャンプー処方を上記のプロトコールに従ってベンチスケールで製造した。処方の組成は、全界面活性剤レベルが様々な量の微生物由来の生物系界面活性剤に徐々に置き換えられるという点で変動した。次に、レオロジー特性を、２５℃でＡｎｔｏｎ  Ｐａａｒ  ＡＳＣ  Ｒｈｅｏｍｅｔｅｒを用いて評価した。
【０１０７】
レオロジー測定は、鋸歯状のカップおよびボブ形状で実施した。使用したボブは、ＣＣ２７／Ｐ２  ＳＮ９６２５であり、この形状に関連する鋸歯状のカップを伴った。各々のカップには２４ｇ〜２６ｇのサンプルが入っていた。全てのカップをＪｕｍｂａｌｏ  Ｆ３２恒温水槽によって２５℃で維持した。
【０１０８】
レオロジー測定は、３つの異なるステップを含む：
−ステップ１  ０．０１Ｐａ〜４００Ｐａの剪断応力制御測定。
【０１０９】
−ステップ２  ０．１ｓ−１〜１２００ｓ−１の剪断速度制御測定。
【０１１０】
−ステップ３  １２００ｓ−１〜０．１ｓ−１の剪断速度制御測定。
【０１１１】
実験測定を実行した後、本発明者らは分析用のＲｈｅｏｐｌｕｓソフトウェアからデータを収集した。これを下の表１〜５および図１〜４にも示す。
【表２】
2016526057.tif 000004
【表３】
2016526057.tif 000005
【表４】
2016526057.tif 000006
【表５】
2016526057.tif 000007
【表６】
2016526057.tif 000008
【０１１２】
２．懸濁液：測定方法
上記の組成物Ａ、および、別々に、対照処方（糖脂質型生物系界面活性剤を含まない処方Ａ）を、ＭＳＥ  Ｃｅｎｔａｕｒ  ＩＩを用いて３７００ｒｐｍで遠心し、その後組成物を懸濁性について観察した。
【０１１３】
結果
カプセル化体は、上記のように２時間の遠心分離の後に処方中に分散され懸濁されたままであるが、非生物系界面活性剤処方のカプセル化体は、集まり、凝集し、１５分後に沈殿したのが観察された。
【図１】
2016526057.tif 000009
【図２】
2016526057.tif 000010
【図３】
2016526057.tif 000011
【図４】
2016526057.tif 000012
【国際調査報告】
2016526057.tif 000013
2016526057.tif 000014
2016526057.tif 000015